(57)【特許請求の範囲】
【請求項１】
上部に形成された開口部を開閉するように開閉蓋が設置され、内部には用水が満たされる用水タンクにおいて、
前記用水タンク（１００）の前面の下部には内部に収容された用水の排出のための排出濾過手段（２００）が設置され、前記用水タンク（１００）の内部底面は端から中央部に下向き傾斜した傾斜面（１２０）で形成され、前記用水タンク（１００）に少量の用水が残る場合、前記用水タンク（１００）の内部底面に残存する異物とともに中央部に流動できるように形成され、前記傾斜面（１２０）に沿って中央部に集まった用水と異物を収容する収容濾過溝（１３０）が前記用水タンクの中央部で前記排出濾過手段（２００）方向に下向き傾斜して形成され、
前記排出濾過手段（２００）は、前記用水タンク（１００）の外部下側面に前記収容濾過溝（１３０）と連通して設置される中空型結合具（２１０）と、前記結合具（２１０）を通じて前記収容濾過溝（１３０）方向に引き入れ取り出し可能に設置されるものの、長さ方向の一端が前記結合具（２１０）の内側に係止され長さ方向の他端が前記収容濾過溝（１３０）の底面に支持されて長さ方向の一端と他端の間が前記収容濾過溝（１３０）の底面から一定間隔離隔して設置される濾過棒（２２０）と、前記結合具（２１０）を収容した状態で前記結合具（２１０）に着脱可能に設置されて用水流動配管部（２５０）と連結される連結カプラー（２３０）を含んで構成され、
前記用水流動配管部（２５０）は、前記連結カプラー（２３０）に連結される連結管（２５１）と、前記連結管（２５１）に分岐されて形成されるものの前記濾過棒（２２０）の内側に用水を流入して前記濾過棒（２２０）を逆洗浄するための用水流入配管（２５３）と前記用水タンク（１００）に収容された用水を排出する用水排出配管（２５４）からなる分岐部（２５２）で構成され、前記用水流入配管（２５３）と用水排出配管（２５４）にはそれぞれ遮断バルブ（２５５）が設置されることを特徴とする、多目的用水タンク。
【請求項２】
前記濾過棒（２２０）は、前記収容濾過溝（１３０）の底面から一定間隔離隔して設置されて排出される用水に含まれた異物を濾過する中空型メッシュ濾過網（２２１）と、前記メッシュ濾過網（２２１）の長さ方向一側に結合された状態で前記結合具（２１０）に係止されるものの使用者がつかむことができる把持具（２２４）が形成された係止具（２２３）と、前記メッシュ濾過網（２２１）の長さ方向他側に結合された状態で前記収容濾過溝（１３０）の底面に支持される支持具（２２５）で構成されることを特徴とする、請求項１に記載の多目的用水タンク。
【請求項３】
前記用水タンク（１００）の内部底面には、用水ポンプによってポンピングされた用水が前記用水タンク（１００）の内部に噴出されて前記用水タンク（１００）に収容された用水を攪拌する攪拌噴出ノズル部（３００）が設置されることを特徴とする、請求項２に記載の多目的用水タンク。
【請求項４】
前記攪拌噴出ノズル部（３００）は、前記排出濾過手段（２００）が設置された方向と向き合う前記用水タンク（１００）の背面内部に設置されるものの前記用水タンク（１００）の底面に近接して設置されて前記用水ポンプからポンピングされた用水を前記排出濾過手段（２００）方向に噴出する第１攪拌ノズル（３１０）と、前記排出濾過手段（２００）が設置された方向の前記用水タンク（１００）の内部下側面に設置されるものの前記収容濾過溝（１３０）を基準として左右両側に相互一定間隔離隔して前記用水ポンプからポンピングされた用水が前記用水タンク（１００）の側面上側に噴出できるように上向き傾斜して設けられる第２攪拌ノズル（３２０）を含んで構成されることを特徴とする、請求項３に記載の多目的用水タンク。
【請求項５】
前記用水タンク（１００）には、中空部が前記収容濾過溝（１３０）の底面と当接した状態で設置されて前記収容濾過溝（１３０）の内側に収容された少量の用水と異物を排出できるようにする残留排出配管（４００）が設置されることを特徴とする、請求項１に記載の多目的用水タンク。
【請求項６】
前記用水タンク（１００）の下側面の外部には、前記用水タンク（１００）を支持できるようにする支持脚（５００）が相互一定間隔離隔した状態で複数個設置されることを特徴とする、請求項５に記載の多目的用水タンク。
【発明の詳細な説明】
【技術分野】
【０００１】
本発明は多目的用水タンクに関するもので、より詳細には用水タンクの内部に収容された用水に薬液を混合する場合、その用水と薬液を効果的に攪拌できるようにすることはもちろん前記用水タンクから排出される攪拌液に異物が含まれていないようにしてスプリンクラーおよび高圧噴霧ノズル使用時の詰まり現象を防止し、用水タンクの内部に設置されて異物を濾過する濾過棒を分離可能なようにすることによって濾過棒の維持管理を容易にし、用水タンクの内部に蓄積される異物が少量の用水とともに効果的に排出されるようにすることによって清潔な状態を維持できる多目的用水タンクに関するものである。
【背景技術】
【０００２】
従来の用水タンクは使用中に水タンクの内部下端に各種不純物および異物が積層され、用水の排水時に前記不純物などとともに残留量が残ることになって細菌繁殖の温床となり、用水タンク内部の完璧な清掃に多くの困難と煩雑さがある。
【０００３】
そして、既存の用水タンクにおいて、用水の濾過方式は用水タンクの外でホースと濾過網を連結して用水タンクに投入後、吸入、吸入された用水を別途の濾過器を通過させて使用することによって、濾過効率が低下し、装置に負荷がかかって圧力が低下したりモーターの故障が多く、人の力で濾過作業を遂行するため産業災害の発生頻度も高い。
【０００４】
また、用水タンクの内部を清掃するとき、清潔な洗浄のために洗浄剤（薬液）を使用する場合、洗浄液の残留成分が用水タンクの内部に残り、健康および環境に危害要素として作用するなど、多くの問題点を抱えているのが実情である。
【０００５】
このような問題点を解決するために、従来登録特許第１０−０８０２６０２号の多目的万能水タンクでは水タンクの下部に不純物、各種異物を濾過できる濾過部を設置するとともに濾過部に濾過された異物を洗浄できるように、逆洗浄手段を具備した多目的水タンクを提供する技術が公知されている。
【０００６】
しかし、従来の水タンクに設置される濾過部に濾過された異物の完全な除去が不可能であることはもちろん、濾過部を水タンクに長期間使用する時、濾過部に持続的に異物が吸着されることにより、用水の濾過に問題が発生することはもちろん濾過部の取替えおよび補修が難しいため使い勝手が悪いという問題がある。
【発明の概要】
【発明が解決しようとする課題】
【０００７】
本発明は前記した実情を勘案して創案されたもので、本発明の目的は、用水タンクに収容された用水や攪拌液の排出を円滑にしつつ、排出される用水や攪拌液に含まれた異物を濾過することができるようにする濾過棒を用水タンクの下部に取替え可能に設置することによって、濾過棒の維持管理および迅速な補修を可能にし、用水に含まれた異物や攪拌液に含まれた異物が前記用水タンクに形成された収容濾過溝に集まるようにして少量の用水とともに外部に円滑に排出させることによって、用水タンクの清潔状態を維持できるようにする多目的用水タンクを提供することにある。
【０００８】
また、用水タンクの内部から排出される用水や攪拌液に異物が含まれていないようにしてスプリンクラーおよび高圧噴霧ノズル使用時の詰まり現象を防止し、用水タンクに収容された用水と薬液を効果的に攪拌できるようにする。
【課題を解決するための手段】
【０００９】
前記の目的を達成するための本発明は、上部に形成された開口部を開閉するように開閉蓋が設置され、内部には用水が満たされる用水タンクにおいて、前記用水タンクの前面の下部には内部に収容された用水の排出のための排出濾過手段が設置され、前記用水タンクの内部底面は端から中央部に下向き傾斜した傾斜面で構成されて前記用水タンクに少量の用水が残る場合、その用水タンクの内部底面に残存する異物とともに中央部に流動できるようになされ、前記傾斜面に沿って中央部に集まった用水と異物を収容する収容濾過溝が前記用水タンクの中央部から前記排出濾過手段方向に下向き傾斜して形成され、前記排出濾過手段は、前記用水タンクの外部下側面に前記収容濾過溝と連通して設置される中空型結合具と、前記結合具を通じて前記収容濾過溝方向で引き入れ取り出し可能に設置されるものの長さ方向の一端が前記結合具の内側に係止され長さ方向の他端が前記収容濾過溝の底面に支持されて長さ方向の一端と他端の間が前記収容濾過溝の底面から一定間隔離隔して設置される濾過棒と、前記結合具を収容した状態でその結合具に着脱可能に設置されて用水流動配管部と連結される連結カプラーを含んで構成されることを特徴とする。
【００１０】
また、前記濾過棒は前記収容濾過溝の底面から一定間隔離隔して設置されて排出される用水に含まれた異物を濾過する中空型メッシュ濾過網と、前記メッシュ濾過網の長さ方向一側に結合された状態で前記結合具に係止されるものの使用者がつかむことができる把持具が形成された係止具と、前記メッシュ濾過網の長さ方向他側に結合された状態で前記収容濾過溝の底面に支持される支持具で構成される。
【００１１】
また、前記用水タンクの内部底面には、用水ポンプによってポンピングされた用水が前記用水タンクの内部に噴出されて前記用水タンクに収容された用水を攪拌する攪拌噴出ノズル部が設置される。
【００１２】
また、前記攪拌噴出ノズル部は、前記排出濾過手段が設置された方向と向き合う前記用水タンクの背面内部に設置されるものの、その用水タンクの底面に近接して設置されて前記用水ポンプからポンピングされた用水を前記排出濾過手段方向に噴出する第１攪拌ノズルと、前記排出濾過手段が設置された方向の前記用水タンクの内部下側面に設置されるものの前記収容濾過溝を基準として左右両側に相互一定間隔離隔して前記用水ポンプからポンピングされた用水が前記用水タンクの側面上側に噴出できるように上向き傾斜して設けられる第２攪拌ノズルを含んで構成される。
【００１３】
また、前記用水流動配管部は、前記連結カプラーに連結される連結管と、前記連結管に分岐されて形成されるものの前記濾過棒の内側に用水を流入して前記濾過棒を逆洗浄するための用水流入配管と前記用水タンクに収容された用水を排出する用水排出配管からなる分岐部で構成され、前記用水流入配管と用水排出配管にはそれぞれ遮断バルブが設置される。
【００１４】
また、前記用水タンクには、中空部が前記収容濾過溝の底面と当接した状態で設置されて前記収容濾過溝の内側に収容された少量の用水と異物を排出できるようにする残留排出配管が設置され、前記用水タンクの下側面の外部には、用水タンクを支持できるようにする支持脚が相互一定間隔離隔した状態で複数個設置される。
【発明の効果】
【００１５】
本発明によれば、用水タンクの下部を傾斜させ、用水が排出される方向に設置された排出濾過手段によって排出される用水や攪拌液に含まれた異物が除去された状態で排出されてスプリンクラーおよび高圧噴霧ノズル使用時の詰まり現象が防止され、前記排出濾過手段の濾過棒が用水タンクの下部に取替え可能に設置されることによって濾過棒の維持管理および迅速な補修が可能となる。
【００１６】
また、用水タンクの内部に設置される攪拌噴出ノズル部によって用水と薬液の攪拌を効果的になすことができ、収容濾過溝に集まる異物を少量の用水とともに外部に円滑に排出させることができるため用水タンクの清潔状態を維持することができ、使い勝手を向上させる効果を期待することができる。
【図面の簡単な説明】
【００１７】
【図１】本発明の一実施例に係る多目的用水タンクの状態を示した斜視図。
【図２】本発明の一実施例に係る多目的用水タンクの底面状態を示した底面斜視図。
【図３】本発明の一実施例に係る多目的用水タンクの断面状態を示した正断面図。
【図４】本発明の一実施例に係る多目的用水タンクの側断面状態を示した側断面図。
【図５】本発明の一実施例に係る多目的用水タンクに排出濾過手段が設置された状態を示した状態図。
【図６】本発明の一実施例に係る多目的用水タンクの濾過棒の状態を示した状態図。
【図７】本発明の一実施例に係る用水流動配管部の設置状態を示した状態図。
【図８】本発明の一実施例に係る多目的用水タンクに残留量排出配管が設置された状態を概略的に示した断面図。
【図９】本発明に係る攪拌噴出ノズル部の設置状態を示した状態図。
【図１０】本発明に係る攪拌噴出ノズル部による用水の流れを示した平断面図。
【図１１】本発明に係る攪拌噴出ノズル部による用水の流れを示した側断面図。
【図１２】本発明の他の実施例に係る多目的用水タンクの状態を示した状態図。
【図１３】本発明に係る多目的用水タンクに設置されるフロートバルブの状態を示した状態図。
【発明を実施するための形態】
【００１８】
以下、添付された図面を参照して本発明に係る多目的用水タンクを詳細に説明する。これに先だって、本発明を説明するにおいて、関連公知機能または構成に対する具体的な説明が本発明の要旨を曖昧にさせる恐れがあると判断される場合には、その詳細な説明を省略する。
【００１９】
また、後述される用語は本発明での機能を考慮して設定された用語であって、この用語は製品を生産する生産者や製造者の意図または慣例によって変更され得、図面に図示された線の厚さや構成要素の大きさなどは説明の明瞭性と便宜上誇張して図示され得、本明細書に記載された実施例と図面に図示された構成は本発明の最も好ましい一実施例に過ぎないもので、本発明の技術的思想をすべて代弁するものではないため、本出願時点においてこれらを代替できる多様な均等物と変形例があり得ることが理解できるであろう。
【００２０】
また、「前面」、「背面」、「側面」、「下部」などのような方向性用語は、開示された図面の配向と関連して使用される。本発明の実施例の構成要素は多様な配向で位置設定され得るため、方向性用語は例示を目的に使用されるものであり、これを制限するものではない。
【００２１】
図１は本発明の一実施例に係る多目的用水タンクの状態を示した斜視図で、図２は本発明の一実施例に係る多目的用水タンクの底面状態を示した底面斜視図であり、図３は本発明の一実施例に係る多目的用水タンクの断面状態を示した正断面図で、図４は本発明の一実施例に係る多目的用水タンクの側断面状態を示した側断面図であり、図５は本発明の一実施例に係る多目的用水タンクに排出濾過手段が設置された状態を示した状態図で、図６は本発明の一実施例に係る多目的用水タンクの濾過棒の状態を示した状態図であり、図７は本発明の一実施例に係る用水流動配管部の設置状態を示した状態図で、図８は本発明の一実施例に係る多目的用水タンクに残留量排出配管が設置された状態を概略的に示した断面図であり、図９は本発明に係る攪拌噴出ノズル部の設置状態を示した状態図で、図１０は本発明に係る攪拌噴出ノズル部による用水の流れを示した平断面図であり、図１１は本発明に係る攪拌噴出ノズル部による用水の流れを示した側断面図である。
【００２２】
本発明に係る多目的用水タンクは設置場所と使用目的により、円筒形または六面体などの多様な形状を有するように製作されて設置され得、上部に形成された開口部を開閉するように開閉蓋が設置され、用水を自動で水位に合わせて投入されるようにフロートバルブ１４１を具備した用水投入管１４０が用水タンク１００の上部に配管設置される。
【００２３】
このとき、前記用水投入管１４０には別途のタンク清掃用バルブ１４２を設置して使用者が用水タンクの内部を、散水される洗浄水によって洗浄できるようにすることができる。
【００２４】
また、本発明に係る多目的用水タンクは内部に収容された用水に用途別の薬液（粉形態の農薬や液相形態の農薬など）を入れて攪拌した後、排出濾過手段を通過しながら異物が濾過された状態の攪拌液が排出されることによってスプリンクラーおよび高圧噴霧ノズルの使用時に、そのスプリンクラーおよび高圧噴霧ノズルの詰まりを防止することができるようになり、灌水、防除、防疫、液肥散布などの所望の用途別に、長期間円滑な使用が可能となる。
【００２５】
また、用水タンクの内部に形成された収容濾過溝に攪拌液に含まれた異物が蓄積されると残留排出配管を通じてその異物を少量の用水とともに外部に排出させることができるため、用水タンク内の薬液の残留を防止できることはもちろん、用水タンクをきれいに清掃することができ、分離可能に設置される濾過棒の逆洗浄により濾過棒の清潔な状態を維持することができ、前記濾過棒が分離可能であるため維持／補修が容易である長所がある。
【００２６】
また、前記濾過棒の逆洗浄により用水タンクの収容濾過溝に蓄積された異物を残留排出配管を通じて外部に排出することができるため、用水タンクの内部状態をきれいに維持することができる。
【００２７】
前記用水投入管１４０を通じて前記用水タンク１００の内部に用水が投入され、図１３に図示されたように、前記フロートバルブ１４１により用水が満水位となると自動で用水供給が中断される。
【００２８】
ここで、本発明に係る多目的用水タンクを説明するにおいて、以下では六面体の形状を有する用水タンクとして説明する。
【００２９】
図１〜図１１に図示された通り、本発明の一実施例に係る多目的用水タンクは六面体の形状を有するように形成されるもので、前記フロートバルブ１４１および後述される排出濾過手段２００が設置された方向を前面、前記排出濾過手段２００と向き合う方向を背面、前記用水タンクの前面と背面を相互連結する面部を側面にして説明する。
【００３０】
このとき、前記用水タンク１００の前面の下部には内部に収容された用水の排出のための排出濾過手段２００が設置され、前記用水タンク１００の内部底面は端から中央部に下向き傾斜した傾斜面１２０で形成されて前記用水タンク１００に少量の用水が残る場合、その用水タンクの内部底面に残存する異物とともに中央部に流動できるように形成され、前記傾斜面１２０に沿って中央部に集まった用水が異物を収容する収容濾過溝１３０が前記用水タンク１００の中央部から前記排出濾過手段２００方向に下向き傾斜して形成される。
【００３１】
すなわち、前記用水タンク１００の内部に用水が収容されると収容された用水は前記傾斜面１２０により中央部に集まり、その中央部に集まった用水は前記収容濾過溝１３０に沿って移動されて前記排出濾過手段２００の排出方向に自然に流動する。
【００３２】
このとき、前記用水タンク１００の内部に用水が少量残る場合、用水とともに異物が前記傾斜面１２０に沿って前記収容濾過溝１３０方向に移動されて収容される。前記収容濾過溝１３０に少量の用水と異物が収容されて異物が一定量蓄積されると後述される残留排出配管４００を通じて外部に排出して用水タンクの内部異物の持続的な蓄積を防止することができる。
【００３３】
前記排出濾過手段２００は前記用水タンク１００の外部下側面に前記収容濾過溝１３０と連通して設置される中空型結合具２１０と、前記結合具２１０を通じて前記収容濾過溝１３０方向に引き入れ取り出し可能に設置される濾過棒２２０と、前記結合具２１０に着脱可能に連結される連結カプラー２３０を含んで構成される。
【００３４】
すなわち、前記結合具２１０は中空型部材であって、前記用水タンク１００の下側面に形成された通孔に装着されて前記用水タンク１００の内部収容濾過溝１３０と連通して設置されるものて、前記濾過棒２２０が前記結合具２１０の内側を通過して前記収容濾過溝１３０に位置するように設置されるものの、前記濾過棒２２０の一端が前記結合具２１０の内側に係止された状態にあるようになる。
【００３５】
また、前記濾過棒２２０は、前記結合具２１０を通じて前記収容濾過溝１３０方向に引き入れ取り出し可能に設置されるものの、長さ方向の一端が前記結合具２１０の内側に係止され長さ方向の他端が前記収容濾過溝１３０の底面に支持されて長さ方向の一端と他端の間が前記収容濾過溝１３０の底面から一定間隔離隔して設置される。
【００３６】
このとき、前記濾過棒２２０は、前記収容濾過溝１３０の底面から一定間隔離隔して設置されて排出される用水に含まれた異物を濾過する中空型メッシュ濾過網２２１と、前記メッシュ濾過網２２１の長さ方向一側が結合された状態で前記結合具２１０に係止されるものの使用者がつかむことができる把持具２２４が形成された係止具２２３と、前記メッシュ濾過網２２１の長さ方向他側に結合された状態で前記収容濾過溝１３０の底面に支持される支持具２２５で構成される。
【００３７】
ここで、前記メッシュ濾過網２２１を前記収容濾過溝１３０の底面から一定間隔離隔して設置する理由は、前記収容濾過溝１３０に流入してその収容濾過溝の底面に蓄積される異物が前記メッシュ濾過網２２１に過度に吸着されて用水の濾過性能を阻害することを防止できるようにするためである。
【００３８】
また、前記係止具２２３は、前記メッシュ濾過網２２１の長さ方向の一端に結合された状態で前記排出濾過手段２００の結合具２１０の内側に係止されるもので、前記係止具２２３には前記把持具２２４が設置されているため濾過棒の取替えおよび清掃作業を容易に遂行することができる。
【００３９】
前記連結カプラー２３０は、前記結合具２１０を収容した状態でその結合具に着脱可能に設置されて用水流動配管部２５０と連結される。
【００４０】
ここで、前記用水流動配管部２５０は、前記連結カプラー２３０に連結される連結管２５１と、前記連結管２５１に分岐されて形成されるものの前記濾過棒２２０の内側に用水を流入して前記濾過棒２２０を逆洗浄するための用水流入配管２５３と、前記用水タンク１００に収容された用水を排出する用水排出配管２５４からなる分岐部２５２で構成され、前記用水流入配管２５３と用水排出配管２５４にはそれぞれ遮断バルブ２５５が設置される。
【００４１】
前記用水流入配管２５３を使用する場合には、前記用水排出配管２５４に設置された遮断バルブを遮断し、前記用水流入配管２５３に設置された遮断バルブを開けて前記濾過棒２２０の逆洗浄を遂行するようにする。
【００４２】
すなわち、前記用水タンク１００に収容された用水をすべて使った後、前記濾過棒２２０の洗浄時に前記用水流入配管２５３に設置された遮断バルブを開けて外部から供給される用水が前記用水流入配管２５３を経て前記濾過棒２２０の内部に流動して前記用水タンク１００の内部に噴出できるようにすることによって前記濾過棒２２０に吸着された異物をはらい落とすことができる。
【００４３】
また、前記用水タンク１００に収容された用水を使用する場合には、前記用水流入配管２５３に設置された遮断バルブを遮断し、前記用水排出配管２５４に設置された遮断バルブを開けて前記用水タンク１００に収容された用水を使用できるようにする。
【００４４】
このとき、前記用水タンク１００には、中空部が前記収容濾過溝１３０の底面と当接する状態で設置されて前記収容濾過溝１３０の内側に収容された少量の用水と異物を排出できるようにする残留排出配管４００が設置される。
【００４５】
すなわち、前記用水タンク１００に収容された用水を使った後、一定量の用水だけが前記用水タンク１００に残ると前記収容濾過溝１３０に異物が蓄積されるようになるが、このとき、前記残留排出配管４００を開放することによって前記収容濾過溝１３０に収容された異物が少量の用水とともに外部に排出されるようにするのである。
【００４６】
また、前記濾過棒２２０を逆洗浄した後、前記収容濾過溝１３０に異物と洗浄用水が収容された場合、前記残留排出配管４００を開放して前記濾過棒２２０からはらい落とされた異物と洗浄用水を外部に排出することができるのである。
【００４７】
このように、前記収容濾過溝１３０に収容された用水および異物を外部に排出しなければならないので、前記残留排出配管４００の中空部は前記収容濾過溝１３０の底面よりも低い位置にあるべきである。
【００４８】
また、前記残留排出配管４００を通じて前記用水タンク１００に収容された攪拌液の残留量を完全に除去できるようになることによって、他の用途および他の混合物を攪拌して使用する場合、以前に使われた攪拌液との混合を防止することができる。
【００４９】
一方、前記用水タンク１００の内部底面には、用水ポンプ（図示されず）によりポンピングされた用水が前記用水タンク１００の内部に噴出されて前記用水タンク１００に収容された用水を攪拌できるようにする攪拌噴出ノズル部３００が設置される。
【００５０】
すなわち、前記用水タンク１００の内側に用水と特定成分（農薬など）を攪拌する場合、別途の攪拌装置なしに前記攪拌噴出ノズル部３００から噴出する用水によって用水と農薬を攪拌できるようにすることによって、用水タンクの製造費用を節減させて農家の経済的負担を低減させることができるとともに、攪拌機能の追加によって使用性の向上を図ることができる。
【００５１】
ここで、前記攪拌噴出ノズル部３００は、前記排出濾過手段２００が設置された方向と向き合う前記用水タンク１００の背面内部に設置されるものの、その用水タンクの底面に近接して設置されて前記用水ポンプからポンピングされた用水を前記排出濾過手段２００方向に噴出する第１攪拌ノズル３１０と、前記排出濾過手段２００が設置された方向の前記用水タンク１００の内部下側面に設置されるものの前記収容濾過溝１３０を基準として左右両側に相互一定間隔離隔して前記用水ポンプからポンピングされた用水が前記用水タンク１００の側面上側に噴出できるように上向き傾斜して設けられる第２攪拌ノズル３２０を含んで構成される。
【００５２】
このとき、前記第１、２攪拌ノズル３１０、３２０は、前記排出濾過手段２００が設置された方向に設置される分配部３３０で分配される分配配管２４０を媒介として連結されるもので、用水ポンプでポンピングされた用水は前記分配部３３０を通じて前記分配配管２４０に分配されて前記第１、２攪拌ノズル３１０、３２０を通じて前記用水タンク１００の内部に噴出される。
【００５３】
前記第１攪拌ノズル３１０から噴出した用水は前記排出濾過手段２００が設置された方向の用水タンク前面方向に噴出し、前記第２攪拌ノズル３２０から噴出した用水は前記用水タンクの側面上側方向に噴出されることによって、用水タンクの内側に収容された用水全体の攪拌を効果的に遂行することができる。
【００５４】
すなわち、用水タンクの内部に用水が収容された状態で特定成分（農薬など）を混合して攪拌する場合、用水タンクの底面から水面まで前記第１、２攪拌ノズル３１０、３２０によって前記用水タンクに収容された用水全体を攪拌することによって、攪拌効率を向上させることができるようになる。
【００５５】
また、前記用水タンク１００の下側面の外部には用水タンクを支持できるようにする支持脚５００が相互一定間隔離隔した状態で複数個設置される。
【００５６】
すなわち、六面体状の用水タンクである場合、その用水タンクの下部に直線型の前記支持脚５００が形成されて前記用水タンクを地面から一定間隔離隔させ、前記用水タンク１００が円筒形である場合、その用水タンクの外部下側面から前記支持脚５００が放射状に形成されて前記用水タンクを地面から一定間隔離隔するように設置することができる。このとき、前記支持脚５００は、前記用水タンク１００を射出製造する時、前記用水タンク１００の底面に一体形成して設置した方が好ましい。
【００５７】
また、本発明に係る用水タンク１００には内部に収容される用水の量を確認できるようにする用水量確認パイプ６００が設置され得る。
【００５８】
また、図１２に図示された通り、本発明に係る多目的用水タンクは円筒形で構成され得、この場合、前記用水タンクの内部下側面も傾斜面を有するように形成され、その用水タンクの内部に前記収容濾過溝も前述の通り傾斜して形成されることが好ましい。
【００５９】
前記のように本発明を詳細に説明したが、本発明は前記した実施例に限定されず、以下の特許請求の範囲で請求する本発明の要旨を逸脱することなく、本発明が属する技術分野で通常の知識を有した者であれば誰でも多様な変形または修正可能な範囲まで本発明の技術的思想が及ぶべきである。
【図１】
0006350838.tif 000002
【図２】
0006350838.tif 000003
【図３】
0006350838.tif 000004
【図４】
0006350838.tif 000005
【図５】
0006350838.tif 000006
【図６】
0006350838.tif 000007
【図７】
0006350838.tif 000008
【図８】
0006350838.tif 000009
【図９】
0006350838.tif 000010
【図１０】
0006350838.tif 000011
【図１１】
0006350838.tif 000012
【図１２】
0006350838.tif 000013
【図１３】
0006350838.tif 000014